(57)【要約】      （修正有）【課題】主板もしくは側板の表側から翼端面の溶接を行う場合において隙間腐食の発生確率を低減する。【解決手段】主板または側板に設けられた羽根の端面の溶接対象領域が略水平になるよう、主板または側板を支持するポジショナーの傾斜角及び回転角を調節する第１の工程と、略水平になった溶接対象領域に溶接トーチを移動する第２の工程と、調節後のポジショナーの傾斜角及び回転角、移動後の溶接トーチの位置の組を記憶する第３の工程と、側板を主板の上に配置するか、あるいは主板を側板の上に配置する第４の工程と、記憶された溶接トーチの位置から略垂直方向に所定の距離だけ引き上げた位置に、溶接トーチを移動するとともに、記憶された溶接トーチの位置に関連付けられて記憶された傾斜角及び回転角になるようポジショナーを調節する第５の工程と、移動後の溶接トーチが側板または主板と羽根とを溶接する第６の工程と、を有する。【選択図】図１２
2018061983.tif 000002
【特許請求の範囲】
【請求項１】
主板または側板に設けられた羽根の端面の溶接対象領域が略水平になるよう、前記主板または前記側板を支持するポジショナーの傾斜角及び回転角を調節する第１の工程と、
前記略水平になった前記溶接対象領域に溶接トーチを移動する第２の工程と、
調節後の前記ポジショナーの傾斜角及び回転角、移動後の前記溶接トーチの位置の組を記憶する第３の工程と、
側板を前記主板の上に配置するか、あるいは主板を前記側板の上に配置する第４の工程と、
前記記憶された溶接トーチの位置から略垂直方向に所定の距離だけ引き上げた位置に、前記溶接トーチを移動するとともに、前記記憶された溶接トーチの位置に関連付けられて記憶された前記傾斜角及び回転角になるよう前記ポジショナーを調節する第５の工程と、
移動後の前記溶接トーチが前記側板または前記主板と前記羽根とを溶接する第６の工程と、
を有する羽根車の製造方法。
【請求項２】
前記第２の工程において、前記略水平になった羽根の端面の中心付近に溶接トーチの先端を移動し、
前記第３の工程において、調節後の前記ポジショナーの傾斜角及び回転角、移動後の前記溶接トーチの先端位置の組を記憶する
請求項１に記載の羽根車の製造方法。
【請求項３】
前記移動する第２の工程において、前記溶接トーチの長軸が水平面に対して略垂直になるように前記溶接トーチの姿勢を調節し、
前記記憶する第３の工程において、前記第２の工程で調整後の姿勢も前記溶接トーチの位置に関連付けて更に記憶し、
前記溶接する第５の工程において、前記記憶された溶接トーチの位置に関連付けられて記憶された姿勢になるよう溶接トーチの姿勢を調節する
請求項１または２に記載の羽根車の製造方法。
【請求項４】
側板には表面に羽根の端面に沿った形状の貫通していない溝が設けられており、
前記溶接する第６の工程において、前記溝の上からA-TIG溶接で溶接する
請求項３に記載の羽根車の製造方法。
【請求項５】
前記記憶する第３の工程において、記憶する組は複数あり、
前記溶接する第６の工程において、溶接する箇所は複数あり、
前記主板または前記側板の底面を略水平にしたときに前記羽根の端面と水平面との角度が大きい部位ほど、溶接対象領域が空間的に密になる
請求項１から４のいずれか一項に記載の羽根車の製造方法。
【請求項６】
前記羽根は内周側になるほど細く、
前記溶接する第６の工程において、内周側になるほど溶接にかかる入熱量を小さくする
請求項１から５のいずれか一項に記載の羽根車の製造方法。
【請求項７】
前記側板または前記主板には、表面に貫通していない溝が設けられており、
前記配置する第４の工程において、前記側板または前記主板の裏面を下にして設置し、
前記溶接する第６の工程において、前記側板または前記主板と羽根を完全に溶け込ませて裏波を出す
請求項１から６のいずれか一項に記載の羽根車の製造方法。
【請求項８】
溶接の対象となる羽根の端面が三次元的に変化する
請求項１から７のいずれか一項に記載の羽根車の製造方法。
【請求項９】
前記移動する第２の工程において、制御装置が前記溶接トーチを支持する溶接ロボットを制御することによって、前記溶接トーチを移動する
請求項１から８のいずれか一項に記載の羽根車の製造方法。
【請求項１０】
前記移動する第５の工程において、制御装置が前記溶接トーチを支持する溶接ロボットを制御することによって、前記溶接トーチを移動する
請求項１から９のいずれか一項に記載の羽根車の製造方法。
【請求項１１】
溶接トーチと、
主板または側板を支持するポジショナーと、
前記溶接トーチの位置を制御し、前記ポジショナーの傾斜角及び回転角を制御する制御装置と、
を備え、
前記制御装置は、羽根の端面の溶接対象領域が略水平になるよう調節された後の前記ポジショナーの傾斜角及び回転角、略水平になった前記溶接対象領域に溶接トーチを移動後の溶接トーチの位置の組を記憶部に記憶させ、
側板を前記主板の上に配置するか、あるいは主板を前記側板の上に配置した後に、前記制御装置は、前記記憶された溶接トーチの位置から略垂直方向に所定の距離だけ引き上げた位置に、前記溶接トーチを移動するよう制御するとともに、前記記憶された溶接トーチの位置に関連付けられて記憶された前記傾斜角及び回転角になるよう前記ポジショナーを調節し、
移動後の前記溶接トーチによって前記側板または前記主板と前記羽根とが溶接される
溶接システム。
【請求項１２】
溶接トーチの位置を制御する溶接トーチ制御部と、
主板または側板を支持するポジショナーの傾斜角及び回転角を制御するポジショナー制御部と、
羽根の端面の溶接対象領域が略水平になるよう調節された後の前記ポジショナーの傾斜角及び回転角、略水平になった前記溶接対象領域に溶接トーチを移動後の溶接トーチの位置の組を記憶部に記憶させる記憶制御部と、
を備え、
側板を前記主板の上に配置するか、あるいは主板を前記側板の上に配置した後に、前記溶接トーチ制御部は、前記記憶された溶接トーチの位置から略垂直方向に所定の距離だけ引き上げた位置に、前記溶接トーチを移動するよう制御するとともに、前記ポジショナー制御部は、前記記憶された溶接トーチの位置に関連付けられて記憶された前記傾斜角及び回転角になるよう前記ポジショナーを調節し、移動後の前記溶接トーチによって前記側板または前記主板と前記羽根とが溶接される
制御装置。
【発明の詳細な説明】
【技術分野】
【０００１】
本発明は、羽根車の製造方法、溶接システム及び制御装置に関する。
【背景技術】
【０００２】
圧縮機、ポンプなどの回転機械の羽根車を溶接によって製造する場合には、一般的に、主板と羽根（翼ともいう）を、あるいは側板と羽根を３次元的に切削し、その部材を側板あるいは主板と、流路内で羽根に沿って溶接して製造する。しかし、主板と側板の隙間が、溶接トーチが入らないような狭い隙間である場合、溶接トーチが主板と側板の隙間に入らないので、流路内で羽根に沿って溶接ができない場合がある。
【０００３】
その場合、レーザーによって主板もしくは側板の表側から貫通溶接する方法（特許文献１参照）、あるいは側板の表側に翼形状の溝を加工しTIG(Tungsten Inert Gas)溶接する方法（特許文献２参照）、あるいは溝を加工せずに、主板もしくは側板の表側から貫通A-TIG（Activating flux-Tungsten Inert Gas）溶接する方法（特許文献３参照）などが取られることがある。
【先行技術文献】
【特許文献】
【０００４】
【特許文献１】特開２０１０−２２９８９４号公報
【特許文献２】特開昭５４−９７５４７号公報
【特許文献３】特開２００８−２３８２６５号公報
【発明の概要】
【発明が解決しようとする課題】
【０００５】
しかし、１番目のレーザー溶接に関しては、アーク溶接と比較して設備コストが高く、接合部に高い形状精度が求められるため加工コストが高いといった問題点がある。また、溶接変形が生じた場合には、接合部精度が維持できなくなり、接合不可となる可能性がある。２番目のTIG溶接に関しては、A-TIG溶接と比較して溶け込み深さが浅い。もしTIG溶接の溶けこみ深さをA-TIGと同じようにすると入熱を多く必要とし、溶接変形が大きくなる。従って、コストや求められる形状精度の面から、主板と側板の隙間の狭い羽根車の溶接をするには、上記製造法の中では主板もしくは側板の表側からA-TIG溶接をする手法が最も適していると考えられる。
【０００６】
しかし、現在使用されている溝を加工せずにA-TIG溶接をする手法では、溝埋め溶接をしないで済むため変形を抑えることができるが、側板や翼板が厚い場合には完全溶け込み溶接にならない。ポンプ羽根車のように流路を流れる対象物が液体の場合には、溶接接合面が溶接施工で完全に溶け込んでいないと、溶接接合面の隙間に液体が入り込み、隙間腐食を起こす原因となる。
【０００７】
従って、溶接時には、主板もしくは側板の表側から、羽根の端面（翼端面ともいう）の溶接の位置を正確に狙わなくてはいけないが、主板もしくは側板が物理的に翼端面を覆っており、接合部となる翼端面が見えない。このため、事実上、手動溶接で溶接する翼端面を正確に狙うことは不可能であり、溶接位置がずれることで溶接接合面が溶接施工で完全に溶け込まず、溶接接合面の隙間に液体が入り込み、隙間腐食を起こすという問題がある。
【０００８】
本発明は、上記問題に鑑みてなされたものであり、主板もしくは側板の表側から翼端面の溶接を行う場合において隙間腐食の発生確率を低減することを可能とする羽根車の製造方法、溶接システム及び制御装置を提供することを目的とする。
【課題を解決するための手段】
【０００９】
本発明の第１の態様に係る羽根車の製造方法は、主板または側板に設けられた羽根の端面の溶接対象領域が略水平になるよう、前記主板または前記側板を支持するポジショナーの傾斜角及び回転角を調節する第１の工程と、前記略水平になった前記溶接対象領域に溶接トーチを移動する第２の工程と、調節後の前記ポジショナーの傾斜角及び回転角、移動後の前記溶接トーチの位置の組を記憶する第３の工程と、側板を前記主板の上に配置するか、あるいは主板を前記側板の上に配置する第４の工程と、前記記憶された溶接トーチの位置から略垂直方向に所定の距離だけ引き上げた位置に、前記溶接トーチを移動するとともに、前記記憶された溶接トーチの位置に関連付けられて記憶された前記傾斜角及び回転角になるよう前記ポジショナーを調節する第５の工程と、移動後の前記溶接トーチが前記側板または前記主板と前記羽根とを溶接する第６の工程と、を有する。
【００１０】
この構成によれば、側板を羽根の上に配置することによって側板の上から羽根の端面の位置が見えなくても、溶接する端面の位置を記憶しているので、溶接する端面から略垂直方向に所定の距離だけ引き上げた位置で溶接することができる。これにより、溶接位置を翼端面の上方に合わせることができ、溶接位置のずれを低減することができる。このため、溶接接合面が溶接施工で完全に溶け込まない確率を減少させ、溶接接合面の隙間に液体が入り込み隙間腐食が発生する確率を低減することができる。このようにして、主板の表側から翼端面の溶接を行う場合において隙間腐食の発生確率を低減することができる。
【００１１】
本発明の第２の態様に係る羽根車の製造方法は、第１の態様に係る羽根車の製造方法であって、前記第２の工程において、前記略水平になった羽根の端面の中心付近に溶接トーチの先端を移動し、前記第３の工程において、調節後の前記ポジショナーの傾斜角及び回転角、移動後の前記溶接トーチの先端位置の組を記憶する。
【００１２】
この構成によれば、羽根の端面の中心を正確に狙って溶接することができる。このため、溶接の溶け落ちの危険性、及び溶接が完全溶け込みとならずに隙間腐食が発生する危険性を低減することができる。
【００１３】
本発明の第３の態様に係る羽根車の製造方法は、第１または２の態様に係る羽根車の製造方法であって、前記移動する第２の工程において、前記溶接トーチの長軸が水平面に対して略垂直になるように前記溶接トーチの姿勢を調節し、前記記憶する第３の工程において、前記第２の工程で調整後の姿勢も前記溶接トーチの位置に関連付けて更に記憶し、前記溶接する第５の工程において、前記記憶された溶接トーチの位置に関連付けられて記憶された姿勢になるよう溶接トーチの姿勢を調節する。
【００１４】
この構成によれば、羽根の端面に対して垂直に溶接できるため、溶接接合面が溶接施工で完全に溶け込まない確率を減少させ、溶接接合面の隙間に液体が入り込み隙間腐食が発生する確率を低減することができる。
【００１５】
本発明の第４の態様に係る羽根車の製造方法は、第３の態様に係る羽根車の製造方法であって、側板には表面に羽根の端面に沿った形状の貫通していない溝が設けられており、前記溶接する第６の工程において、前記溝の上からA-TIG溶接で溶接する。
【００１６】
この構成によれば、溝の上からA-TIG溶接で溶接することにより、貫通溝を加工して溶接する場合や溝をTIG溶接する場合よりも、入熱量を抑えることが可能となり、溶接変形のリスクも低減できる。更に、鉛直下向きのトーチ姿勢でA-TIG溶接することができるので、A−TIG溶接の安定性を向上させることができる。
【００１７】
本発明の第５の態様に係る羽根車の製造方法は、第１から４のいずれかの態様に係る羽根車の製造方法であって、前記記憶する第３の工程において、記憶する組は複数あり、前記溶接する第６の工程において、溶接する箇所は複数あり、前記主板または前記側板の底面を略水平にしたときに前記羽根の端面と水平面との角度が大きい部位ほど、溶接対象領域が空間的に密になる。
【００１８】
この構成によれば、強固に側板または主板を羽根と接合することができる。
【００１９】
本発明の第６の態様に係る羽根車の製造方法は、第１から５のいずれかの態様に係る羽根車の製造方法であって、前記羽根は内周側になるほど細く、前記溶接する第６の工程において、内周側になるほど溶接にかかる入熱量を小さくする。
【００２０】
この構成によれば、羽根の厚みがあるところで側板が溶けなくて不完全溶接になることを回避しつつ、羽根が薄いところで側板が溶け落ちてしまうことを回避することができる。
【００２１】
本発明の第７の態様に係る羽根車の製造方法は、第１から６のいずれかの態様に係る羽根車の製造方法であって、前記側板または前記主板には、表面に貫通していない溝が設けられており、前記配置する第４の工程において、前記側板または前記主板の裏面を下にして設置し、前記溶接する第６の工程において、前記側板または前記主板と羽根を完全に溶け込ませて裏波を出す。
【００２２】
この構成によれば、溶接接合面の隙間に液体が入り込まないので、隙間腐食を防止することができる。
【００２３】
本発明の第８の態様に係る羽根車の製造方法は、第１から７のいずれかの態様に係る羽根車の製造方法であって、溶接の対象となる羽根の端面が三次元的に変化する。
【００２４】
この構成によれば、溶接の対象となる羽根の端面が三次元的に変化しても、端面毎に端面が略水平になるように調節することができるので、略鉛直下向きのトーチ姿勢で溶接することができる。
【００２５】
本発明の第９の態様に係る羽根車の製造方法は、第１から８のいずれかの態様に係る羽根車の製造方法であって、前記移動する第２の工程において、制御装置が前記溶接トーチを支持する溶接ロボットを制御することによって、前記溶接トーチを移動する。
【００２６】
この構成によれば、略水平になった溶接対象領域に溶接トーチを移動することができる。
【００２７】
本発明の第１０の態様に係る羽根車の製造方法は、第１から９のいずれかの態様に係る羽根車の製造方法であって、前記移動する第５の工程において、制御装置が前記溶接トーチを支持する溶接ロボットを制御することによって、前記溶接トーチを移動する。
【００２８】
この構成によれば、記憶された溶接トーチの位置から略垂直方向に所定の距離だけ引き上げた位置に、溶接トーチを移動することができる。
【００２９】
本発明の第１１の態様に係る溶接システムは、溶接トーチと、主板または側板を支持するポジショナーと、前記溶接トーチの位置を制御し、前記ポジショナーの傾斜角及び回転角を制御する制御装置と、を備え、前記制御装置は、羽根の端面の溶接対象領域が略水平になるよう調節された後の前記ポジショナーの傾斜角及び回転角、略水平になった前記溶接対象領域に溶接トーチを移動後の溶接トーチの位置の組を記憶部に記憶させ、側板を前記主板の上に配置するか、あるいは主板を前記側板の上に配置した後に、前記制御装置は、前記記憶された溶接トーチの位置から略垂直方向に所定の距離だけ引き上げた位置に、前記溶接トーチを移動するよう制御するとともに、前記記憶された溶接トーチの位置に関連付けられて記憶された前記傾斜角及び回転角になるよう前記ポジショナーを調節し、移動後の前記溶接トーチによって前記側板または前記主板と前記羽根とが溶接される。
【００３０】
この構成によれば、側板を羽根の上に配置することによって側板の上から羽根の端面の位置が見えなくても、溶接する端面の位置を記憶しているので、溶接する端面から略垂直方向に所定の距離だけ引き上げた位置で溶接することができる。これにより、溶接位置を翼端面の上方に合わせることができ、溶接位置のずれを低減することができる。このため、溶接接合面が溶接施工で完全に溶け込まない確率を減少させ、溶接接合面の隙間に液体が入り込み隙間腐食が発生する確率を低減することができる。このようにして、主板の表側から翼端面の溶接を行う場合において隙間腐食の発生確率を低減することができる。
【００３１】
本発明の第１２の態様に係る制御装置は、溶接トーチの位置を制御する溶接トーチ制御部と、主板または側板を支持するポジショナーの傾斜角及び回転角を制御するポジショナー制御部と、羽根の端面の溶接対象領域が略水平になるよう調節された後の前記ポジショナーの傾斜角及び回転角、略水平になった前記溶接対象領域に溶接トーチを移動後の溶接トーチの位置の組を記憶部に記憶させる記憶制御部と、を備え、側板を前記主板の上に配置するか、あるいは主板を前記側板の上に配置した後に、前記溶接トーチ制御部は、前記記憶された溶接トーチの位置から略垂直方向に所定の距離だけ引き上げた位置に、前記溶接トーチを移動するよう制御するとともに、前記ポジショナー制御部は、前記記憶された溶接トーチの位置に関連付けられて記憶された前記傾斜角及び回転角になるよう前記ポジショナーを調節し、移動後の前記溶接トーチによって前記側板または前記主板と前記羽根とが溶接される。
【００３２】
この構成によれば、側板を羽根の上に配置することによって側板の上から羽根の端面の位置が見えなくても、溶接する端面の位置を記憶しているので、溶接する端面から略垂直方向に所定の距離だけ引き上げた位置で溶接することができる。これにより、溶接位置を翼端面の上方に合わせることができ、溶接位置のずれを低減することができる。このため、溶接接合面が溶接施工で完全に溶け込まない確率を減少させ、溶接接合面の隙間に液体が入り込み隙間腐食が発生する確率を低減することができる。このようにして、主板の表側から翼端面の溶接を行う場合において隙間腐食の発生確率を低減することができる。
【発明の効果】
【００３３】
本発明によれば、側板を羽根の上に配置することによって側板の上から羽根の端面の位置が見えなくても、溶接する端面の位置を記憶しているので、溶接する端面から略垂直方向に所定の距離だけ引き上げた位置で溶接することができる。これにより、溶接位置を翼端面の上方に合わせることができ、溶接位置のずれを低減することができる。このため、溶接接合面が溶接施工で完全に溶け込まない確率を減少させ、溶接接合面の隙間に液体が入り込み隙間腐食が発生する確率を低減することができる。このようにして、主板の表側から翼端面の溶接を行う場合において隙間腐食の発生確率を低減することができる。
【図面の簡単な説明】
【００３４】
【図１】本実施形態に係る溶接システム５の概略構成図である。
【図２】主板の斜視図である。
【図３】主板の上に側板を配置した場合における断面斜視図である。
【図４】主板の上に側板を配置した場合における断面図である。
【図５】図４の領域Ｒ１の拡大図である。
【図６】図４の領域Ｒ２の拡大図である。
【図７】羽根２−３の端面の溶接対象領域を示す図である。
【図８】ある位置における主板の概略一部断面図である。
【図９】翼端面２１−１を略水平にした場合における主板の概略一部断面図である。
【図１０】図９で翼端面２１−１を略水平にした後に、溶接トーチ９の先端を翼端面２１−１に移動した場合における概略図である。
【図１１】図１１（Ａ）は、翼端面２１−１の溶接対象領域に溶接トーチ９を配置した場合の一部断面図である。図１１（Ｂ）は、側板３を配置した場合の一部断面図である。図１１（Ｃ）は、溶接トーチ９を溶接するときの位置に配置した場合の一部断面図である。
【図１２】羽根車の製造方法の流れの一例を示すフローチャートである。
【発明を実施するための形態】
【００３５】
羽根車には、３次元的に羽根の形状が変化する羽根車（以下、３次元羽根車ともいう）があり、主板もしくは側板の表側からA-TIG溶接する手法を適用して３次元羽根車を接合した事例は報告されていない。３次元羽根車の溶接は、３次元的に変化する溶接線を完全溶け込み溶接で且つ溶け落ち部分がない溶接を行わなくてはならない。ここで溶け落ち部分は、入熱過多に起因する。A-TIG溶接では、完全溶け込み溶接で且つ溶け落ち部分がない溶接をするには鉛直下向きのトーチ姿勢で溶接することが望ましいが、３次元的に形状が変化する羽根では、常に鉛直下向きのトーチ姿勢で溶接することは難しい。
【００３６】
３次元形状の羽根は、側板に対して羽根が斜めに接するため、断面において羽根の左右で肉薄の部分と肉厚の部分が生じる。肉薄の部分にアークが片寄った場合には溶接の溶け落ちの危険性があり、逆に肉厚の部分にアークが片寄った場合には溶接が完全溶け込みとならず液体を扱うポンプ羽根車では隙間腐食の危険性がある。よって、溶接位置を羽根の端面の中心に正確に定める必要がある。
【００３７】
従って、３次元羽根車を対象に主板もしくは側板の表側からA-TIG溶接する手法を適用する際には、上記の危険性を回避するために、水平面に対して羽根の端面を平行にして、溶接トーチの先端を略鉛直下向きにして羽根の端面に対して溶接トーチの長軸を略垂直にし、かつ溶接の位置を正確に定めることが重要である。略垂直と記載したのは、溶接では前進角あるいは後退角がつけられるためである。溶接トーチの先端を略鉛直下向きにして溶接することを下向き溶接ともいう。
【００３８】
本実施形態では、溶接トーチの姿勢を適切に保ちながら、主板もしくは側板の表側から溶接の位置決めの精度を向上させて溶接する方法について説明する。本実施形態では、一例として、３次元的に羽根の形状が変化する羽根車の製造方法について説明する。羽根車は、回転機械に用いられる。ここで回転機械は例えば、圧縮機、ポンプ、タービン、または送風機である。本実施形態では一例として、ポンプに用いられる羽根車を例に説明する。
【００３９】
以下、本実施形態について、図面を参照しながら説明する。図１は、本実施形態に係る溶接システム５の概略構成図である。図１に示すように、溶接システム５は、主板１または側板３を支持するポジショナー８と、溶接トーチ９と、溶接トーチ９を支持する溶接ロボット７とを備える。ポジショナー８は、回転方向の軸と傾きの軸の２軸を有するポジショナーである。溶接ロボット７は一例として、６軸以上の軸数を有する。図１に示すように、羽根車１０は、主板１と側板３を備えており、図１の例では、溶接トーチ９が側板３の表側に配置され、この位置で溶接が行われる。
【００４０】
更に溶接システム５は、溶接ロボット７と制御線６７を介して接続され且つ溶接トーチ９と制御線６８を介して接続された制御装置６とを備える。制御装置６は、溶接ロボット７を制御することによって溶接トーチ９の位置を制御する。また、制御装置６は、ポジショナーの傾斜角θ及び回転角φを制御する。
【００４１】
制御装置６は、溶接トーチ制御部６１と、ポジショナー制御部６２と、記憶制御部６３と、記憶部６４とを備える。
溶接トーチ制御部６１は、溶接トーチ９の位置を制御する。
ポジショナー制御部６２は、主板１または側板３を支持するポジショナー８の傾斜角θ及び回転角φを制御する。
記憶制御部６３は、情報を記憶部６４に書き込んだり、情報を記憶部６４から読み出したりする。
【００４２】
続いて、図２〜図１１を参照しつつ、図１２のフローチャートに沿って、羽根車の製造方法について説明する。図２は、主板の斜視図である。図２に示すように、主板１には複数の羽根２−１〜２−５が設けられている、また図２に示すように、羽根２−１〜２−５は、３次元的に変化する形状を有する。図３は、主板の上に側板を配置した場合における断面斜視図である。図３に示すように、側板３には、羽根２−１〜２−５の溶接する側の端面（翼端面）それぞれに沿った形状の溝４−１〜４−５が形成されている。この溝４−１〜４−５は、例えば５軸加工機によって加工されている。ここで、溝４−１〜４−５は裏面まで貫通していないため、側板３の表面側からは羽根２−１〜２−５の端面の位置を把握することができない。
【００４３】
溶接する際の条件を安定化するために、溝底と側板３の裏面との距離（溝底厚さともいう）が略一定となるように溝４−１〜４−５が加工されている。このように溝４−１〜４−５を加工することによって、後から溶接で埋める必要が生じ、変形のリスクは高まってしまう。しかしながら、完全溶け込みで溶接可能な羽根２−１〜２−５の厚さおよび側板３の厚さを厚くすることができるため、隙間腐食のリスクを低減できる。また、溝底厚さが略一定になるようにしたので、羽根２−１〜２−５の厚みが略同じ範囲に渡って、略等しい電圧で溶接することが可能になる。
【００４４】
図４は、主板の上に側板を配置した場合における断面図である。図４に示すように、羽根２−１〜２−５それぞれの上方に、対応する溝４−１〜４−５が位置するように側板３が配置される。図５は、図４の領域Ｒ１の拡大図である。図６は、図４の領域Ｒ２の拡大図である。図５に示すように、羽根２−５の端面（翼端面）２１−５は、側板３の裏面と接し、図６に示すように、羽根２−１の端面（翼端面）２１−１は、側板３の裏面と接する。
【００４５】
図７は、羽根２−３の端面の溶接対象領域を示す図である。図７に示すように、溶接対象領域の位置（ティーチング位置ともいう）Ｐ１〜Ｐ１０は、記憶する対象となる位置である。図７における溶接対象領域は、説明のために簡略化して１０箇所としているが、実際には溶接対象領域は２０箇所以上となる場合がある。このように、翼端面それぞれについて、複数の溶接対象領域を有する。
【００４６】
図８は、ある位置における主板の概略一部断面図である。主板１は、水平に配置されており、直線Ｌ１は、翼端面２１−１と平行な直線を表している。
図９は、翼端面２１−１を略水平にした場合における主板の概略一部断面図である。制御装置６のポジショナー制御部６２がポジショナー８の傾斜角θ及び回転角φを調整することによって、翼端面２１−１を略水平にする。これにより、図９に示すように、翼端面２１−１と平行な直線Ｌ２が水平面ＨＬと略水平になる。
【００４７】
図１０は、図９で翼端面２１−１を略水平にした後に、溶接トーチ９の先端を翼端面２１−１に移動した場合における概略図である。制御装置６の溶接トーチ制御部６１が溶接トーチ９の先端を翼端面２１−１に移動させるよう制御する。このとき、制御装置６の溶接トーチ制御部６１は、図１０に示すように、溶接トーチの長軸方向が翼端面２１−１と略スイチョウになるように溶接トーチ９の姿勢を制御する。これにより、図１０に示すように、溶接トーチ９の長軸Ｌ４が、水平面ＨＬと水平な直線Ｌ３と略垂直になる。
【００４８】
図１１は、各工程を説明するための図である。図１１（Ａ）は、翼端面２１−１の溶接対象領域に溶接トーチ９を配置した場合の一部断面図である。図１１（Ｂ）は、側板３を配置した場合の一部断面図である。図１１（Ｃ）は、溶接トーチ９を溶接するときの位置に配置した場合の一部断面図である。図１２は、羽根車の製造方法の流れの一例を示すフローチャートである。
【００４９】
以下、図１２のフローチャートに沿って説明する。
（ステップＳ１０１）まず、図２に示すように、複数の羽根２−１〜２−５が設けられた主板１を形成する。具体的には主板１は、鍛造材から機械加工によって削り出されることにより、羽根２−１〜２−５が一体となって削り出される。図２に示すように、主板１は円板状であり、主板１には中央に空洞が形成されている。複数の羽根２−１〜２−１５は一例として、主板１の中心から互いに等しい角度間隔で設けられており、且つ羽根２−１〜２−５の形状は互いに略同一である。
【００５０】
（ステップＳ１０２）次に、主板１に形成された空洞に不図示のセンタリング治具を装着する。
【００５１】
（ステップＳ１０３）制御装置６のポジショナー制御部６２は、主板１に設けられた羽根２−１〜２−５のいずれかの端面のある溶接対象領域が略水平になるよう（図１０の水平面ＨＬに対して平行になるよう）、主板１を支持するポジショナー８の傾斜角θ及び回転角φを調節する。
【００５２】
（ステップＳ１０４）次に、図１１（Ａ）に示すように、制御装置６の溶接トーチ制御部６１は、溶接トーチ９の長軸が略鉛直下向き（図１０の水平面ＨＬに対して略垂直）になるように溶接トーチ９の姿勢を調節する。これにより、溶接トーチ９の長軸が、略水平になった溶接対象領域の端面に垂直になる。そして、制御装置６の溶接トーチ制御部６１は、溶接トーチ９を支持する溶接ロボット７を制御することによって、略鉛直下向きの姿勢で、略水平になった上記溶接対象領域に溶接トーチ９の先端を移動する。これにより、略水平になった上記溶接対象領域の翼端面と溶接トーチ９の長軸を略垂直にすることができ溶接トーチ９を理想的な溶接姿勢にすることができる。このとき、翼端面へと溶接トーチ９を移動させる際に、翼端面中央付近の狙いの位置へと正確に移動させておく。
【００５３】
（ステップＳ１０５）次に、制御装置６の記憶制御部６３は、移動後の溶接トーチ９の先端位置、調整後の姿勢、調節後のポジショナー８の傾斜角θ及び回転角φの組を記憶部６４に記憶させる。
【００５４】
（ステップＳ１０６）次に、制御装置６は、全ての溶接対象領域について記憶したか否かを判定する。全ての溶接対象領域について記憶した場合、ステップＳ１０７の処理に移行する。全ての溶接対象領域について記憶していない場合、ステップＳ１０３に戻り、他の溶接対象領域についてステップＳ１０３〜Ｓ１０５の処理を繰り返す。
【００５５】
（ステップＳ１０７）ステップＳ１０６で全ての溶接対象領域について記憶した場合、図１１（Ｂ）に示すように、側板３を主板１の上に配置する。このとき側板３の裏面を下にして設置する。側板３には、図３に示すように、表面に貫通していない溝４−１〜４−５が設けられている。
【００５６】
（ステップＳ１０８）次に、図１１（Ｃ）に示すように、制御装置６の溶接トーチ制御部６１は、溶接トーチ９を支持する溶接ロボット７を制御することによって、記憶された溶接トーチの一つの位置から略垂直方向に所定の距離Ｙ１だけ引き上げた位置に溶接トーチ９を移動する。これにより、記憶された溶接トーチの位置を基準として溶接対象領域における翼端面から略法線方向に所定の距離Ｙ１だけ離れた位置（溶接位置）に、溶接トーチ９を配置することができる。側板３の溝４−１〜４−５の厚さは一定になるように加工してあるので、翼端面と溶接トーチ９との距離はいずれの箇所であっても一定となる。この位置が溶接位置である。所定の距離Ｙ１は、アーク溶接するための適切な距離であり、溶接が最も良好となる位置を予め試験等で決めておく。
【００５７】
このとき、制御装置６の溶接トーチ制御部６１は、当該記憶された溶接トーチの位置に関連付けられて記憶された姿勢になるよう溶接トーチ９の姿勢を調節する。それとともに、制御装置６のポジショナー制御部６２は、当該記憶された溶接トーチ９の位置に関連付けられて記憶された傾斜角θ及び回転角φになるようポジショナー８を調節する。これにより、溶接の対象となる羽根の端面が三次元的に変化しても、端面毎に端面が略水平になるように調節することができるので、略鉛直下向きのトーチ姿勢で溶接することができる。その結果、図１１（Ｃ）に示すように、羽根の端面に対して溶接トーチ９の長軸が略垂直になるように溶接トーチ９の姿勢を調整することができる。
【００５８】
（ステップＳ１０９）移動後の溶接トーチ９が、移動後の位置において側板３と羽根２−１〜２−５とを溶接する。側板３と羽根２−１〜２−５を完全に溶け込ませて裏波を出す。これにより、溶接接合面の隙間に液体が入り込まないので、隙間腐食を防止することができる。羽根２−１〜２−５は内周側になるほど細く、溶接する工程において、内周側になるほど溶接にかかる入熱量を小さくする。これにより、羽根２−１〜２−５の厚みがあるところで側板３が溶けなくて不完全溶接になることを回避しつつ、羽根２−１〜２−５が薄いところで側板３が溶け落ちてしまうことを回避することができる。このときの溶接はA-TIG溶接である。また、特定の羽根における溶接位置を移動するときには、溶接位置間を円弧補間で移動させることで、常に鉛直下向きのトーチ姿勢で移動することができ、移動後にそのまま鉛直下向きのトーチ姿勢で溶接することができる。これにより、トーチ姿勢を毎回調節する必要がないので、複数箇所の溶接に係る全時間を短縮することができる。略同一形状の羽根が複数枚（ここでは一例として５枚）あるので、一つの羽根が溶接終了したら、３６０°/羽根枚数だけ回転させ、他の羽根を溶接する。上記の溶接を羽根の枚数だけ繰り返す。
【００５９】
（ステップＳ１１０）次に、制御装置６は、全ての溶接対象領域に対応する溶接位置で溶接したか否かを判定する。全ての溶接対象領域に相当する位置で溶接した場合、ステップＳ１１１の処理に移行する。全ての溶接対象領域に相当する位置で溶接していない場合、ステップＳ１０８に戻り、他の溶接対象領域についてステップＳ１０８〜Ｓ１０９の処理を繰り返す。
【００６０】
（ステップＳ１１１）ステップＳ１１０で全ての溶接対象領域に相当する位置で溶接した場合、熱処理を行う。例えば、ゆっくりと温度を上げたのちに、ゆっくりと冷ます。これにより、残留応力を逃がすことができる。
【００６１】
（ステップＳ１１２）次に、外周部分を削り出す。
【００６２】
（ステップＳ１１３）次に、機械加工によって所望の形状に仕上げる。これにより、羽根車が完成する。
【００６３】
この製造方法によって、３次元的に変化する溶接線であっても下向き姿勢で溶接可能になり、かつ主板１もしくは側板３の表側から正確な狙い位置で溶接可能になる。また、一つの羽根車を製造するための溶接対象領域の数は、翼の長さ、羽根車の材質によっても異なる。密にとれば取るほど正確な形状の溶接が可能であるが、時間及び／または経費との兼ね合いでポイント数が決定される。
【００６４】
特に、３次元羽根車の羽根の付け根部(内周側)では翼端面２１−１〜２１−５の水平面に対しての角度の変化が大きいので、この区間の溶接対象領域は多くする。逆に、羽根の外周部では水平面との角度の変化が小さいので、羽根の外周部付近では溶接対象領域の数は少なくてよい。このように、主板１または側板３の底面を略水平にしたときに羽根２−１〜２−５の端面と水平面との角度が大きい部位ほど、溶接対象領域が空間的に密になる。これにより、強固に側板３を羽根２−１〜２−５と接合することができる。
【００６５】
なお、本実施形態では、一例として、移動後の溶接トーチ９の先端位置、調整後の姿勢、調節後のポジショナー８の傾斜角θ及び回転角φの組を記憶したが、これに限ったものではない。溶接トーチ９の姿勢を略鉛直下向きに固定することで、記憶対象から調整後の姿勢を除外して、移動後の溶接トーチ９の先端位置、調節後のポジショナー８の傾斜角θ及び回転角φの組を記憶してもよい。
【００６６】
以上、本実施形態に係る羽根車の製造方法は、主板１に設けられた羽根２−１〜２−５の端面の溶接対象領域が略水平になるよう、主板１を支持するポジショナーの傾斜角及び回転角を調節する第１の工程を有する。更に羽根車の製造方法は、略水平になった溶接対象領域に溶接トーチを移動する第２の工程を有する。更に羽根車の製造方法は、調節後のポジショナー８の傾斜角θ及び回転角φ、移動後の溶接トーチ９の位置の組を記憶する第３の工程を有する。更に羽根車の製造方法は、側板３を主板１の上に配置する第４の工程を有する。更に羽根車の製造方法は、記憶された溶接トーチ９の位置から略垂直方向に所定の距離だけ引き上げた位置に、溶接トーチ９を移動するとともに、当該記憶された溶接トーチの位置に関連付けられて記憶された傾斜角θ及び回転角φになるようポジショナー８を調節する第５の工程を有する。更に羽根車の製造方法は、移動後の溶接トーチ９が側板３と羽根２−１〜２−５とを溶接する第６の工程を有する。
【００６７】
この構成により、側板３を羽根２−１〜２−５の上に配置することによって側板３の上から羽根２−１〜２−５の端面の位置が見えなくても、溶接する端面の位置を記憶しているので、溶接する端面から略垂直方向に所定の距離Ｙ１だけ引き上げた位置で溶接することができる。これにより、溶接位置を翼端面の上方に合わせることができ、溶接位置のずれを低減することができる。このため、溶接接合面が溶接施工で完全に溶け込まない確率を減少させ、溶接接合面の隙間に液体が入り込み隙間腐食が発生する確率を低減することができる。このようにして、主板１の表側から翼端面の溶接を行う場合において隙間腐食の発生確率を低減することができる。
【００６８】
また、上記第２の工程において、略水平になった羽根２−１〜２−５の端面の中心付近に溶接トーチ９の先端を移動する。そして、第３の工程において、調節後のポジショナー８の傾斜角θ及び回転角φ、移動後の溶接トーチ９の先端位置の組を記憶する。これにより、羽根２−１〜２−５の端面の中心を正確に狙って溶接することができる。このため、溶接の溶け落ちの危険性、及び溶接が完全溶け込みとならずに隙間腐食が発生する危険性を低減することができる。
【００６９】
また、移動する第２の工程において、溶接トーチ９の長軸が水平面に対して略垂直になるように溶接トーチ９の姿勢を調節し、記憶する第３の工程において、第２の工程で調整後の姿勢も溶接トーチ９の位置に関連付けて更に記憶し、溶接する第５の工程において、記憶された溶接トーチ９の位置に関連付けられて記憶された姿勢になるよう溶接トーチ９の姿勢を調節する。この構成により、羽根２−１〜２−５の端面に対して垂直に溶接できるため、溶接接合面が溶接施工で完全に溶け込まない確率を減少させ、溶接接合面の隙間に液体が入り込み隙間腐食が発生する確率を低減することができる。
【００７０】
また、上記の構成において、側板３には羽根２−１〜２−５の端面に沿った形状の貫通していない溝４−１〜４−５が表面に設けられており、溶接する第６の工程において、溝４−１〜４−５の上からA-TIG溶接で溶接する。この構成により、溝４−１〜４−５の上からA-TIG溶接で溶接することにより、貫通溝を加工して溶接する場合や溝をTIG溶接する場合よりも、入熱量を抑えることが可能となり、溶接変形のリスクも低減できる。更に、鉛直下向きのトーチ姿勢でA-TIG溶接することができるので、A−TIG溶接の安定性を向上させることができる。
【００７１】
また本実施形態によれば、今まで熟練の溶接技術者であっても手動による溶接が出来なかった構造物、特に主板と側板の隙間が狭い３次元羽根車などの溶接が可能となる。また、溶接ロボット７による自動溶接であるため、製造コストを低減することができる。
【００７２】
なお、本実施形態では、３次元的に羽根の形状が変化する羽根車について説明したが、羽根の形状は３次元的に変化しなくてもよく、２次元的に変化してもよい。羽根の形状が２次元的に変化する場合には、溶接トーチの長軸方向を水平面に対して略垂直に維持すればよいので、溶接時における所望の姿勢は記憶しなくてもよい。具体的には、溶接時における所望の姿勢を除く、調節後のポジショナーの傾斜角及び回転角、移動後の溶接トーチの位置の組を記憶してもよい。
【００７３】
なお、本実施形態では、制御装置６が記憶部６４を備える構成としたが、これに限らず、記憶部６４は制御装置６に外付けで接続されていてもよいし、ネットワークを介して接続されていてもよい。
また、本実施形態では、側板３に、溶接のための溝４−１〜４−５が設けられている例について説明したが、これに限らず、側板３は溝が設けられていない平板でもよい。溝の有無および溝の深さは、完全溶け込み継手が得られることを基準として、側板３及び羽根２の厚さで決まる。
【００７４】
なお、本実施形態では、主板に羽根が設けられたが、側板に羽根が設けられてもよい。その場合、ポジショナー８は側板を支持し、主板１の裏面を下にして主板１を側板３の上に配置し、溶接トーチ９が主板１と羽根２−１〜２−５とを溶接する。またこの場合、主板１には、表面に貫通していない溝が設けられ、主板１と羽根２−１〜２−５を完全に溶け込ませて裏波を出す。
【００７５】
なお、翼端面２１−１〜２１−５を水平にして、溶接トーチ９の姿勢を水平面に略垂直とし、且つ翼端面中央付近から略法線方向に所定の距離Ｙ１だけ離れた位置に、溶接位置を設定する手法は、上記のように実際に溶接ロボット７を操作して設定する場合に限ったものではない。主板の３Ｄキャドデータから溶接対象領域の座標データが得られるので、情報処理装置（例えば、パソコン）上で実行される溶接位置設定プログラムによって溶接位置を設定する方法（いわゆるオフラインティーチング）を用いてもよい。
【００７６】
なお、本実施形態では、略水平になった溶接対象領域に溶接トーチを鉛直下向きで移動したときの溶接トーチの先端位置を記憶したが、これに限らず、当該溶接トーチの位置から略垂直方向に所定の距離Ｙ１だけ引き上げた位置（溶接位置）を記憶してもよい。
【００７７】
以上、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態にわたる構成要素を適宜組み合わせてもよい。
【符号の説明】
【００７８】
１  主板
１０  羽根車
２  羽根
２１  翼端面
３  側板
４  溝
５  溶接システム
６  制御装置
６１  溶接トーチ制御部
６２  ポジショナー制御部
６３  記憶制御部
６４  記憶部
６７、６８  制御線
７  溶接ロボット
８  ポジショナー
９  溶接トーチ
【図１】
2018061983.tif 000003
【図２】
2018061983.tif 000004
【図３】
2018061983.tif 000005
【図４】
2018061983.tif 000006
【図５】
2018061983.tif 000007
【図６】
2018061983.tif 000008
【図７】
2018061983.tif 000009
【図８】
2018061983.tif 000010
【図９】
2018061983.tif 000011
【図１０】
2018061983.tif 000012
【図１１】
2018061983.tif 000013
【図１２】
2018061983.tif 000014